(57)【特許請求の範囲】
【請求項１】
第１情報端末が備えるディスプレイに表示された時刻を含む被写体を撮像装置が撮像して生成された、前記時刻を示す時刻画像データを含む複数の動画像データを取得する画像データ取得部と、
前記時刻画像データが示す時刻を特定する時刻特定部と、
前記時刻特定部が特定した時刻に基づいて、前記複数の動画像データを同期させる同期処理部と、
前記時刻画像データが示す時刻に同期した音データを取得する音データ取得部と、
前記同期処理部が同期させた前記複数の動画像データと前記音データとを第２情報端末に提供する画像提供部と、
を有する画像管理装置。
【請求項２】
前記音データ取得部は、複数の前記動画像データに関連付けられた複数の前記音データを取得し、
前記画像提供部は、前記複数の前記音データのうち１つを前記第２情報端末に提供する、
請求項１に記載の画像管理装置。
【請求項３】
前記画像提供部は、複数の前記音データのうち最も早いタイミングの前記音データを前記第２情報端末に提供する、
請求項２に記載の画像管理装置。
【請求項４】
前記画像提供部は、前記動画像データが変化するタイミングに最も近いタイミングで変化する前記音データを前記第２情報端末に提供する、
請求項２又は３に記載の画像管理装置。
【請求項５】
前記音データ取得部は、複数の前記音データそれぞれが集音された位置を示す複数の集音位置情報をさらに取得し、
前記画像データ取得部は、前記動画像データに含まれる被写体の位置を示す被写体位置情報をさらに取得し、
前記画像提供部は、前記複数の集音位置情報が示す複数の位置のうち、前記被写体位置情報が示す位置に最も近い位置に対応する前記集音位置情報に関連付けられた前記音データを前記第２情報端末に提供する、
請求項２から４のいずれか一項に記載の画像管理装置。
【請求項６】
前記音データ取得部は、前記複数の動画像データそれぞれに対応する動画像を撮影した複数の撮影装置の位置よりも前記動画像データに含まれる被写体に近い位置で集音された前記音データを取得する、
請求項１から５のいずれか一項に記載の画像管理装置。
【請求項７】
前記音データ取得部は、時刻を示す音時刻データを含む前記音データを取得し、
前記同期処理部は、前記音時刻データが示す時刻と前記時刻特定部が特定した時刻とに基づいて、前記音時刻データを含む前記音データと前記時刻特定部が特定した時刻に対応する前記複数の動画像データとを同期させる、
請求項１から６のいずれか一項に記載の画像管理装置。
【請求項８】
ユーザの操作を受け付ける操作受付部をさらに有し、
前記音データ取得部は、前記操作受付部が受け付けた操作に基づいて、前記動画像データに関連付けられた前記音データを取得するか、前記動画像データに関連付けられていない前記音データを取得するかを選択する、
請求項１から７のいずれか一項に記載の画像管理装置。
【請求項９】
複数の撮像装置と、前記複数の撮像装置が生成した動画像データを管理する画像管理装置と、を備え、
前記複数の撮像装置それぞれは、
第１情報端末が備えるディスプレイに表示された時刻を含む被写体を撮像して生成された、前記時刻を示す時刻画像データを含む前記動画像データを生成する画像生成部と、
前記動画像データを送信する画像送信部と、
を有し、
前記画像管理装置は、
複数の前記動画像データを取得する画像データ取得部と、
前記時刻画像データが示す時刻を特定する時刻特定部と、
前記時刻特定部が特定した時刻に基づいて、複数の前記動画像データを同期させる同期処理部と、
前記時刻画像データが示す時刻に同期した音データを取得する音データ取得部と、
前記同期処理部が同期させた前記複数の動画像データと前記音データとを第２情報端末に提供する画像提供部と、
を有する、
画像管理システム。
【請求項１０】
コンピュータが、
第１情報端末が備えるディスプレイに表示された時刻を含む被写体を撮像して生成された、前記時刻を示す時刻画像データを含む複数の動画像データを取得するステップと、
前記時刻画像データが示す時刻を特定するステップと、
特定した時刻に基づいて、前記複数の動画像データを同期させるステップと、
前記時刻画像データが示す時刻に同期した音データを取得するステップと、
同期させた前記複数の動画像データと前記音データとを第２情報端末に提供するステップと、
を実行する画像管理方法。
【発明の詳細な説明】
【技術分野】
【０００１】
本発明は、画像管理装置、画像管理システム及び画像管理方法に関する。
【背景技術】
【０００２】
複数のユーザがインターネット等のネットワークを介して送信した画像を公開する画像公開装置が知られている（例えば、特許文献１を参照）。
【先行技術文献】
【特許文献】
【０００３】
【特許文献１】特開２０１３−１９１０３５号公報
【発明の概要】
【発明が解決しようとする課題】
【０００４】
入学式、運動会、コンサート等のイベントにおいては、多数の参加者がイベントの様子を撮影することにより多数の動画像データが作成される。各参加者が動画像データをサーバにアップロードすることにより、各参加者が撮影した動画像が閲覧可能になる。動画像と音とを再生可能な端末において動画像と音とが同期していない状態で同時に再生されると、音や動画像がずれてしまうので閲覧しづらいという問題があった。
【０００５】
そこで、本発明はこれらの点に鑑みてなされたものであり、動画像と音とを同期させることができる画像管理装置、画像管理システム及び画像管理方法を提供することを目的とする。
【課題を解決するための手段】
【０００６】
本発明の第１の態様に係る画像管理装置は、それぞれが時刻を示す時刻画像データを含む複数の動画像データを取得する画像データ取得部と、前記時刻画像データが示す時刻を特定する時刻特定部と、前記時刻特定部が特定した時刻に基づいて、前記複数の動画像データを同期させる同期処理部と、前記時刻画像データが示す時刻に同期した音データを取得する音データ取得部と、前記同期処理部が同期させた前記複数の動画像データと前記音データとを情報端末に提供する画像提供部と、を有する。
【０００７】
前記音データ取得部は、複数の前記動画像データに関連付けられた複数の前記音データを取得し、前記画像提供部は、前記複数の前記音データのうち１つを前記情報端末に提供してもよい。
【０００８】
前記画像提供部は、複数の前記音データのうち最も早いタイミングの前記音データを前記情報端末に提供してもよい。
【０００９】
前記画像提供部は、前記動画像データが変化するタイミングに最も近いタイミングで変化する前記音データを前記情報端末に提供してもよい。
【００１０】
前記音データ取得部は、複数の前記音データそれぞれが集音された位置を示す複数の集音位置情報をさらに取得し、前記画像データ取得部は、前記動画像データに含まれる被写体の位置を示す被写体位置情報をさらに取得してもよい。
【００１１】
前記画像提供部は、前記複数の集音位置情報が示す複数の位置のうち、前記被写体位置情報が示す位置に最も近い位置に対応する前記集音位置情報に関連付けられた前記音データを前記情報端末に提供してもよい。
【００１２】
前記音データ取得部は、前記複数の動画像データそれぞれに対応する動画像を撮影した複数の撮影装置の位置よりも前記動画像データに含まれる被写体に近い位置で集音された前記音データを取得してもよい。
【００１３】
前記音データ取得部は、時刻を示す音時刻データを含む前記音データを取得し、前記同期処理部は、前記音時刻データが示す時刻と前記時刻特定部が特定した時刻とに基づいて、前記音時刻データを含む前記音データと前記時刻特定部が特定した時刻に対応する前記複数の動画像データとを同期させてもよい。
【００１４】
ユーザの操作を受け付ける操作受付部をさらに有し、前記音データ取得部は、前記操作受付部が受け付けた操作に基づいて、前記動画像データに関連付けられた前記音データを取得するか、前記動画像データに関連付けられていない前記音データを取得するかを選択してもよい。
【００１５】
本発明の第２の態様に係る画像管理システムは、複数の撮像装置と、前記複数の撮像装置が生成した動画像データを管理する画像管理装置と、を備え、前記複数の撮像装置それぞれは、時刻を示す時刻画像データを含む前記動画像データを生成する画像生成部と、前記動画像データを送信する画像送信部と、を有し、前記画像管理装置は、複数の前記動画像データを取得する画像データ取得部と、前記時刻画像データが示す時刻を特定する時刻特定部と、前記時刻特定部が特定した時刻に基づいて、複数の前記動画像データを同期させる同期処理部と、前記時刻画像データが示す時刻に同期した音データを取得する音データ取得部と、前記同期処理部が同期させた前記複数の動画像データと前記音データとを情報端末に提供する画像提供部と、を有する。
【００１６】
本発明の第３の態様に係る画像管理方法は、コンピュータが、それぞれが時刻を示す時刻画像データを含む複数の動画像データを取得するステップと、前記時刻画像データが示す時刻を特定するステップと、特定した時刻に基づいて、前記複数の動画像データを同期させるステップと、前記時刻画像データが示す時刻に同期した音データを取得するステップと、同期させた前記複数の動画像データと前記音データとを情報端末に提供するステップと、を実行する。
【発明の効果】
【００１７】
本発明によれば、動画像と音とを同期させることができるという効果を奏する。
【図面の簡単な説明】
【００１８】
【図１】本発明の実施の形態に係る画像管理システムＳ１の構成を示す図である。
【図２】画像管理システムＳ１の動作のシーケンスを示す図である。
【図３】情報端末１が第２のＱＲコード（登録商標）と時刻情報とを表示する場合の画面の一例を示す図である。
【図４】ユーザ端末４が画像管理装置３から取得した提示対象画像データを表示する場合の画面の一例を示す図である。
【図５】情報端末１の構成を示す図である。
【図６】撮像装置２の構成を示す図である。
【図７】画像管理装置３の構成を示す図である。
【図８】同期処理部３３６が複数の動画像データを同期させる動作について説明するための図である。
【図９】画像管理装置３が撮像画像データを記憶部３２に記憶させる動作のフローチャートである。
【図１０】画像管理装置３が複数の動画像データを同期させてユーザ端末４に送信する動作のフローチャートである。
【図１１】画像提供部３３８が複数の動画像データと音データとを同期させた状態で情報端末に送信する動作について説明するための図である。
【図１２】動画像データに含まれる時刻情報に関連付けられた音楽データを提供する場合の画像管理装置３の構成を示す図である。
【図１３】画像管理システムＳ２の構成を示す図である。
【発明を実施するための形態】
【００１９】
［画像管理システムＳ１の構成］
図１は、本発明の実施の形態に係る画像管理システムＳ１の構成を示す図である。画像管理システムＳ１は、一以上の情報端末１と、複数の撮像装置２（２ａ，２ｂ，２ｃ）と、画像管理装置３と、ユーザ端末４とを有する。画像管理システムＳ１は、例えば小学校の運動会や音楽ライブ等のイベントにおいて、複数の撮像装置２が撮像した撮像画像データと情報端末１が生成するイベントを識別するための識別情報とを関連付けて画像管理装置３が有する記憶部に記憶させる画像管理システムである。本明細書においては、撮像画像データが動画像データである場合を例示するが、撮像画像データに静止画像データが含まれていてもよい。
【００２０】
情報端末１と画像管理装置３とはネットワークＮを介して接続されている。複数の撮像装置２と画像管理装置３とはネットワークＮを介して接続されている。ユーザ端末４と画像管理装置３とはネットワークＮを介して接続されている。ネットワークＮは、例えばインターネットである。情報端末１と複数の撮像装置２とは、例えばＢｌｕｅｔｏｏｔｈ（登録商標）等の無線通信方式を用いて接続されていてもよい。
【００２１】
情報端末１は、例えば撮像装置２のユーザが使用する端末である。情報端末１は、被写体を撮像する撮像デバイス、ユーザの操作を受け付けるタッチパネル等の操作入力用デバイス、受け付けたユーザの操作に基づいて情報を表示するディスプレイ、現在位置を特定するための電波をＧＰＳ（Global Positioning System）衛星のような外部装置から受信する受信機、並びにネットワークＮを介して情報を送信するための通信デバイス等を有する端末である。情報端末１は、例えばタブレット又はスマートフォンである。以下の説明においては、情報端末１が、複数の撮像装置２を使用する複数のユーザの代表ユーザの端末である場合を想定して説明するが、複数のユーザそれぞれが自身の情報端末１を使用してもよい。
【００２２】
情報端末１は、ユーザの操作に応じて、例えばイベント会場に設置されている第１のＱＲコードを示す物体を撮像する。第１のＱＲコードを示す物体は、例えば第１のＱＲコードが印刷されたポスター、又は第１のＱＲコードが表示されているタブレットである。情報端末１は、撮像した第１のＱＲコードから、イベントが開催された場所において提示された提示イベント識別情報である提示イベントＩＤを抽出する。提示イベントＩＤは、例えばイベントがＡ小学校の運動会の場合、「Ａ小学校運動会」を示すデータである。
【００２３】
続いて、情報端末１は、提示イベントＩＤと、情報端末１に予め設定されている利用許諾情報とを含む第２のＱＲコードを生成する。利用許諾情報は、例えば「Ａ小学校運動会６年１組」を示すデータであり、利用許諾情報が示す範囲内でのみ撮像画像データを閲覧可能にすることが可能とされる。
【００２４】
そして、情報端末１は、生成した第２のＱＲコードと時刻を示す時刻情報を含む時刻画像データとを情報端末１が有するディスプレイに表示する。情報端末１が有する時刻表示部は、例えば、通信回線を経由して取得した時刻や日本標準時刻（JJY）、ＧＰＳ衛星等から取得した電波に基づく絶対時刻又は端末アプリケーションが生成する相対時刻（所定のタイミングを基準とする時刻）を表示する。なお、情報端末１は、第２のＱＲコードとして、提示イベントＩＤを含むＱＲコード（すなわち、第１のＱＲコード）を生成し、利用許諾情報を別途表示してもよい。また、情報端末１は、例えば受信機がＧＰＳ衛星から受信した電波に基づいて特定した現在位置を示す位置情報を画像管理装置３に送信してもよい。
【００２５】
なお、情報端末１は、第１のＱＲコードを撮影することなく、現在位置及び現在時刻に基づいて第２のＱＲコードを生成してもよい。一例として、情報端末１は、現在位置及び現在時刻を画像管理装置３に送信することにより画像管理装置３から取得した登録イベントＩＤを提示イベントＩＤとして表示する。登録イベントＩＤの詳細については後述する。情報端末１は、受信した登録イベントＩＤを提示イベントＩＤとして含む第２のＱＲコードを生成し、生成した第２のＱＲコードを表示する。この場合、情報端末１のユーザが第１のＱＲコードを示す物体を撮影する必要がない。
【００２６】
撮像装置２は、動画像を撮像することができるカメラであり、例えばカムコーダ、デジタルカメラ又はアクションカメラである。撮像装置２は、情報端末１が表示している第２のＱＲコード、時刻画像、及び第２のＱＲコードに関連付けられたイベントを撮像する。撮像装置２は、例えば、第２のＱＲコード及び時刻画像が表示された情報端末１の画面とイベントとを撮像して生成した動画像データを生成する。撮像装置２は、生成した動画像データを、ネットワークＮを介して画像管理装置３に送信する。撮像装置２は、現在位置を特定するための電波をＧＰＳ衛星のような外部装置から受信する受信機を有しており、特定した現在位置を示す位置情報を画像管理装置３に送信してもよい。
【００２７】
画像管理装置３は、イベントが撮像されて生成された撮像画像データを管理するサーバ又はパーソナルコンピュータである。画像管理装置３は、撮像装置２から受信した撮像画像データと予め登録された登録イベントＩＤとを記憶部に記憶させる。登録イベントＩＤは、撮像画像データを管理する対象となるイベントを識別するための登録イベント識別情報であり、例えば、イベントの主催者や撮影者などにより画像管理装置３に登録される。
【００２８】
画像管理装置３は、受信した動画像データから第２のＱＲコードを取得する。画像管理装置３は、取得した第２のＱＲコードから提示イベントＩＤを抽出する。画像管理装置３は、抽出した提示イベントＩＤが、予め取得していた登録イベントＩＤと一致していることを条件として、抽出した第２のＱＲコードに関連付けられた動画像データを、情報端末に提示する対象である提示対象画像データとして記憶部に記憶させる。
【００２９】
ユーザ端末４は、画像管理装置３が管理する動画像データを閲覧するユーザが使用する情報端末であり、例えばパーソナルコンピュータ又はスマートフォンである。情報端末１がユーザ端末４として用いられてもよい。画像管理装置３は、ユーザ端末４から提示対象画像データの閲覧要求を示す閲覧要求情報を受信した場合、受信した閲覧要求情報が登録イベントＩＤに対応する情報を含むことを条件として提示対象画像データをユーザ端末４に送信する。ユーザ端末４は、送信された提示対象画像データをディスプレイに表示する。
【００３０】
図２は、画像管理システムＳ１の動作のシーケンスを示す図である。図２に示すシーケンス図は、イベントの会場で、情報端末１を使用するユーザが第１のＱＲコードを撮影した時点から開始している。図２においては、撮像装置２として撮像装置２ａ及び撮像装置２ｂを例示しているが、より多くの撮像装置２があってもよい。
【００３１】
情報端末１は、生成した提示イベントＩＤと予め設定された利用許諾情報に基づいて第２のＱＲコードを生成する。情報端末１は、第２のＱＲコードと時刻を示す時刻情報とを情報端末１のディスプレイに表示する（Ｓ１１）。
【００３２】
撮像装置２ａは、第１ユーザが使用する撮像装置であり、情報端末１のディスプレイに表示された第２のＱＲコードを撮像する（Ｓ１２）。撮像装置２ａは、第２のＱＲコードを撮像した後にイベントを撮像して動画像データを生成することにより、第２のＱＲコードと動画像データとを含む撮像画像データを生成する（Ｓ１３）。撮像装置２ａは、生成した撮像画像データである動画像データＰ１を画像管理装置３に送信する。なお、本実施の形態においては、第２のＱＲコードに続いてイベントが撮像されることが想定されているが、イベントの画像の途中に第２のＱＲコードが撮像されてもよい。
【００３３】
撮像装置２ｂは、第２ユーザが使用する撮像装置であり、情報端末１のディスプレイに表示された第２のＱＲコードを撮像する（Ｓ１４）。撮像装置２ｂは、第２のＱＲコードを撮像した後にイベントを撮像して動画像データを生成することにより、第２のＱＲコードと動画像データとを含む撮像画像データを生成する（Ｓ１５）。撮像装置２ｂは、生成した撮像画像データである動画像データＰ２を画像管理装置３に送信する。
【００３４】
画像管理装置３は、動画像データＰ１と動画像データＰ２とを受信する。画像管理装置３は、第２のＱＲコードを撮像した画像であるイベント情報画像を、動画像データＰ１と動画像データＰ２のそれぞれから取得する。画像管理装置３は、取得した動画像データＰ１と動画像データＰ２とのそれぞれのイベント情報画像から動画像データＰ１と動画像データＰ２とのそれぞれに対応する提示イベントＩＤを抽出する（Ｓ１６）。
【００３５】
続いて、画像管理装置３は、動画像データＰ１と動画像データＰ２とのそれぞれのイベント情報画像から動画像データＰ１と動画像データＰ２のそれぞれに対応する利用許諾情報を抽出する（Ｓ１７）。
【００３６】
画像管理装置３は、予め記憶部に記憶されている登録イベントＩＤと抽出した提示イベントＩＤとが一致している場合（Ｓ１８のＹＥＳ）、抽出した提示イベントＩＤに対応する動画像データを、当該動画像データに対応する利用許諾情報と関連付けて記憶部に記憶させる（Ｓ１９）。一方、登録イベントＩＤと提示イベントＩＤとが一致しない場合（Ｓ１８のＮＯ）、画像管理装置は、登録イベントＩＤと一致しない提示イベントＩＤに対応する動画像データを記憶部に記憶させずに処理を終了する。
【００３７】
例えば、登録イベントＩＤと動画データＰ１に含まれる提示イベントＩＤとが「Ａ小学校運動会」を示すデータである場合、画像管理装置３は、動画像データＰ１に含まれる動画像データと当該動画像データに対応する利用許諾情報とを関連付けて記憶部に記憶させる。一方、登録イベントＩＤが「Ａ小学校運動会」であり、提示イベントＩＤが「Ｂ小学校運動会」である場合、画像管理装置３は、動画像データＰ２に含まれる撮像画像データを記憶部に記憶させずに処理を終了する。
【００３８】
図３は、情報端末１が第２のＱＲコードと時刻情報とを表示する場合の画面の一例を示す図である。情報端末１の画面の上段には、第２のＱＲコードが表示されている。情報端末１の画面の中段には、利用許諾情報である「Ａ小学校運動会６年１組」を示す文字列が表示されている。利用許諾情報「Ａ小学校運動会６年１組」を示すデータは、情報端末１の画面の上段に表示されている第２のＱＲコードに含まれている。情報端末１の画面の下段には、時刻（現在の時刻又は端末アプリケーションが生成する相対時刻）を示す時刻情報が表示されている。
【００３９】
図４は、ユーザ端末４が画像管理装置３から取得した提示対象画像データを表示する場合の画面の一例を示す図である。図４に示す画面は、ユーザがイベント終了後にユーザ端末４を用いて閲覧することが想定されている。ユーザ端末４は、例えば画像管理装置３とネットワークＮを介して接続されているパーソナルコンピュータである。画面Ｄには、複数の提示対象画像データＰ（Ｐ１，Ｐ２，Ｐ３，Ｐ４）が表示されている。複数の提示対象画像データＰのそれぞれは、撮影者と撮影時刻とを示す情報が同時に表示されている。
【００４０】
複数の提示対象画像データＰのそれぞれは、利用許諾情報である「Ａ小学校運動会６年１組」を示すデータに関連付けられて記憶部に記憶されている。複数の提示対象画像データＰは、画像管理装置３が「Ａ小学校運動会６年１組」を含む閲覧要求情報をユーザ端末４から取得することにより、ユーザ端末４に送信される。
【００４１】
このように、撮像装置２が送信する動画像データには提示イベントＩＤが含まれており、画像管理装置３は、提示イベントＩＤが登録イベントＩＤと一致していることを条件として、動画像データを管理する。したがって、ユーザが、例えばイベントの終了後に自宅のユーザ端末４で動画像データを閲覧する場合に、イベントに参加した人がイベントで撮影した画像を閲覧できるが、イベントに参加していない人が不正に送信した画像はユーザ端末４に表示されない。
【００４２】
また、動画像データには利用許諾情報が含まれており、画像管理装置３は、利用許諾情報が示す範囲に含まれないユーザのユーザ端末４に対しては、動画像データを提供しない。画像管理装置３がこのように動作することで、利用許諾範囲外の人（例えば、「Ａ小学校運動会６年１組」以外の人）に動画像データを見られることを防止できる。
【００４３】
［情報端末１の構成］
図５は、情報端末１の構成を示す図である。情報端末１は、撮像部１０と、記憶部１１と、表示部１２と、通信部１３と、制御部１４とを有する。制御部１４は、許諾情報生成部１４１及びコード生成部１４２を有する。
【００４４】
撮像部１０は、被写体を撮像する撮像素子を含む。撮像部１０は、例えば第１のＱＲコードを撮像し、第１のＱＲコードが含まれる撮像画像データを生成する。撮像部１０は、作成した撮像画像データをコード生成部１４２に入力する。
【００４５】
記憶部１１は、ＲＯＭ（Read Only Memory）、ＲＡＭ（Random Access Memory）及びハードディスク等の記憶媒体を有する。記憶部１１は、制御部１４が実行するプログラムを記憶している。記憶部１１は、ユーザが表示部１２を操作することにより設定した利用許諾情報を記憶する。
【００４６】
表示部１２は、例えば、液晶ディスプレイや有機ＥＬ（Electro-Luminescence）ディスプレイ等である。表示部１２は、制御部１４の制御に基づいて第２のＱＲコードと現在の時刻とを表示する。また、表示部１２は、例えば表示部１２の表面にタッチパネルを有しており、ユーザがタッチした位置を示す信号に基づいてユーザの操作内容を特定し、特定したユーザの操作内容をコード生成部１４２に通知する。
【００４７】
通信部１３は、ネットワークＮを介して情報を送信するための通信デバイスを含む。通信デバイスは、例えば無線ＬＡＮコントローラである。
【００４８】
制御部１４は、例えばＣＰＵ（Central Processing Unit）である。制御部１４は、記憶部１１に記憶されているプログラムを実行することにより、許諾情報生成部１４１及びコード生成部１４２として機能する。制御部１４は、現在の時刻又は端末アプリケーションが生成する相対時刻を示す時刻情報を表示部１２に表示させる。
【００４９】
許諾情報生成部１４１は、表示部１２から取得したユーザの操作内容に基づいて、提示対象画像データの利用可能範囲を示す利用許諾情報を生成する。許諾情報生成部１４１は、生成した利用許諾情報を記憶部１１に記憶させるとともに、コード生成部１４２に通知する。
【００５０】
コード生成部１４２は、撮像部１０が生成した撮像画像データに含まれる第１のＱＲコードから抽出した提示イベントＩＤと許諾情報生成部１４１が生成する利用許諾情報に基づいて第２のＱＲコードを生成する。コード生成部１４２は、生成した第２のＱＲコードを表示部１２に表示させる。
【００５１】
［撮像装置２の構成］
図６は、撮像装置２の構成を示す図である。撮像装置２は、撮像部２１と、通信部２２と、記憶部２３と、制御部２４とを有する。撮像部２１は、ＣＣＤ（Charge Coupled Device）センサ、ＣＭＯＳ（Complementary Metal Oxide Semiconductor）センサ等の撮像素子、及びレンズを含む。撮像部２１は、レンズに入力された光信号を電気信号に変換した後に当該電気信号をデジタルデータに変換して制御部２４に出力する。デジタルデータは、例えば動画像データ又は静止画像データである。
【００５２】
通信部２２は、ネットワークＮを介して情報を送信するための通信デバイスを含む。通信デバイスは、例えば無線ＬＡＮコントローラである。通信部２２は、例えば無線ＬＡＮ通信網を用いて、制御部１４が生成した動画像データを画像管理装置３に送信する。
【００５３】
記憶部２３は、ＲＯＭ、ＲＡＭ及びハードディスク等の記憶媒体を有する。記憶部２３は、後述する制御部２４が実行するプログラムを記憶している。記憶部２３は、制御部２４の制御に基づいて、撮像部２１が撮像した、第２のＱＲコードと現在の時刻又は端末アプリケーションが生成する相対時刻を示す時刻情報とが表示された情報端末１の画面の画像に基づく動画像データを記憶する。
【００５４】
制御部２４は、例えばＣＰＵである。制御部２４は、記憶部２３に記憶されているプログラムを実行することにより、画像生成部２４１及び画像送信部２４２として機能する。
【００５５】
画像生成部２４１は、イベントが行われる会場に提示された提示イベント識別情報である提示イベントＩＤに関連付けられた動画像データを生成する。また、画像生成部２４１は、時刻を示す時刻画像データを含む動画像データを生成する。画像生成部２４１は、例えば、提示イベントＩＤを含む第２のＱＲコードの画像データ及び時刻画像データが所定の時間（例えば動画像データの冒頭の時間帯）に含まれている動画像データを生成する。画像生成部２４１は、第１時間にわたって第２のＱＲコードの画像データが含まれており、第１時間の前後の第２時間にわたって時刻画像データが含まれた動画像データを生成してもよい。画像生成部２４１は、生成した撮像画像データを画像送信部２４２に出力する。
【００５６】
画像送信部２４２は、画像生成部２４１から取得した動画像データを、通信部２２を介して画像管理装置３に送信する。
【００５７】
［画像管理装置３の構成］
図７は、画像管理装置３の構成を示す図である。画像管理装置３は、通信部３１と、記憶部３２と、制御部３３とを有する。
【００５８】
通信部３１は、インターネット等の通信ネットワークに接続するためのインタフェースであり、ネットワークＮを介して情報を送受信するための通信デバイスを含む。通信デバイスは、例えばＬＡＮコントローラである。通信部３１は、複数の撮像装置２から動画像データを受信する。通信部３１は、受信した動画像データに関連付けられる登録イベントＩＤを情報端末１から受信する。
【００５９】
記憶部３２は、ＲＯＭ、ＲＡＭ及びハードディスク等の記憶媒体を有する。記憶部３２は、後述する制御部３３が実行するプログラムを記憶している。記憶部３２は、複数の撮像装置２から取得した動画像データを記憶する。また、記憶部３２は、予め取得した登録イベントＩＤ、並びに情報端末１から受信した提示イベントＩＤ及び利用許諾情報を記憶する。
【００６０】
制御部３３は、例えばＣＰＵである。制御部３３は、記憶部３２に記憶されているプログラムを実行することにより、識別情報取得部３３１、画像データ取得部３３２、許諾情報取得部３３３、時刻特定部３３４、音データ取得部３３５、同期処理部３３６、画像管理部３３７、画像提供部３３８、操作受付部３３９として機能する。
【００６１】
識別情報取得部３３１は、撮像画像データを管理する対象となるイベントを識別するための登録イベント識別情報である登録イベントＩＤを取得する。識別情報取得部３３１は、取得した登録イベントＩＤを画像管理部３３７に通知する。識別情報取得部３３１は、例えば、画像管理部３３７がアクセス可能な記憶部３２に記憶させることにより、登録イベントＩＤを画像管理部３３７に通知する。
【００６２】
画像データ取得部３３２は、撮像装置２から動画像データを取得する。画像データ取得部３３２は、撮像装置２から取得した動画像データに含まれている情報格納画像データであるイベント情報画像データを解析することにより、イベント情報画像データに含まれている提示イベントＩＤを特定する。イベント情報画像データは、第２のＱＲコードが含まれている画像データである。
【００６３】
画像データ取得部３３２は、第２のＱＲコードに含まれている提示イベントＩＤを特定する。画像データ取得部３３２は、特定した提示イベントＩＤと動画像データとを画像管理部３３７に出力する。
【００６４】
また、画像データ取得部３３２は、時刻を示す時刻画像データを含む動画像データを取得する。時刻画像データは、例えばイベント情報画像に含まれていると同一であってもよい。画像データ取得部３３２は、取得した時刻を示す時刻画像データを時刻特定部３３４に出力する。
【００６５】
許諾情報取得部３３３は、提示対象画像データの利用可能範囲を示す利用許諾情報を取得する。具体的には、許諾情報取得部３３３は、イベント情報画像を解析することにより利用許諾情報を取得する。より具体的には、許諾情報取得部３３３は、第２のＱＲコードに含まれている利用許諾情報を取得する。許諾情報取得部３３３は、例えば、イベント情報画像に電子透かしデータが含まれている場合、電子透かしデータを解析することにより利用許諾情報を取得してもよい。許諾情報取得部３３３は、抽出した利用許諾情報を画像管理部３３７に通知する。
【００６６】
なお、許諾情報取得部３３３は、動画像データを画像データ取得部３３２に送信した撮像装置２に関連付けられた情報端末１から利用許諾情報を取得し、動画像データと、情報端末１から取得した利用許諾情報とを関連付けて記憶部３２に記憶させてもよい。このように動作することで、画像管理装置３は、例えば動画像データを記憶部３２に記憶させた後でも動画像データと利用許諾情報とを関連付けることができる。
【００６７】
さらに、許諾情報取得部３３３は、動画像データに対応する撮像画像を撮像装置２が撮像した位置を示す第１位置情報である撮像位置情報を、動画像データを送信した撮像装置２から取得してもよい。許諾情報取得部３３３は、取得した撮像位置情報を画像管理部３３７に通知する。
【００６８】
時刻特定部３３４は、画像データ取得部３３２から取得した時刻画像データが示す時刻を特定することにより、当該時刻画像データに対応する動画像データが撮像された時刻を特定する。具体的には、時刻特定部３３４は、例えば時刻画像データに撮像されている数字の画像を抽出した後に、抽出した数字の画像を数字のデータに変換することにより時刻を特定する。時刻特定部３３４は、特定した時刻を同期処理部３３６に通知する。
【００６９】
音データ取得部３３５は、複数の動画像データのそれぞれに含まれる時刻画像データが示す時刻に同期した音データを取得する。時刻画像データが示す時刻に同期した音データは、動画像データの撮像と同じ時刻及び同じ場所で集音された音データであり、例えば、「Ａ小学校運動会のリレー競技」の撮像において「リレー開始」の声音及び歓声音を含む音データである。音データ取得部３３５は、取得した音データを同期処理部３３６に出力する。なお、音データは、動画像データと同一のデータフレームにより撮像装置２から画像管理装置３に伝送されてもよい。この場合、例えば画像データ取得部３３２において音データが分離され、画像データ取得部３３２から音データ取得部３３５に音データが入力される。
【００７０】
音データ取得部３３５は、取得した音データに関連付けられた提示イベントＩＤを特定してもよい。音データ取得部３３５は、例えば、取得した音データに「Ａ小学校運動会のリレー競技を開催します」というアナウンスが含まれていた場合、提示イベントＩＤを「Ａ小学校運動会」と特定する。音データ取得部３３５は、特定した提示イベントＩＤを取得した音データに関連付けて同期処理部３３６に通知する。
【００７１】
同期処理部３３６は、画像データ取得部３３２が時刻画像データを含む複数の動画像データを取得した場合、時刻特定部３３４が特定した動画像データそれぞれの時刻に基づいて、複数の動画像データを同期させる。同期処理部３３６は、時刻特定部３３４が特定した時刻に基づいて、当該特定した時刻に対応する動画像データと、当該動画像データと異なる画像データである他データとを同期させる。他データは、例えば、当該動画像データを送信した撮像装置２と異なる撮像装置２が送信した動画像データである。同期処理部３３６は、画像データ取得部３３２が取得した動画像データに関連付けられた提示イベントＩＤと他データに関連付けられた提示イベントＩＤとが一致していることを条件として、動画像データと他データとを同期させる。
【００７２】
ここで、同期処理部３３６が複数の動画像データを同期させる処理について図８を用いて説明する。図８は、同期処理部３３６が複数の動画像データを同期させる動作について説明するための図である。図８（ａ）は、画像データ取得部３３２が取得した複数の動画像データＰ（Ｐ１，Ｐ２）を示している。動画像データＰ１は、例えば撮像装置２ａが生成した動画像データであり、動画像データＰ２は、例えば撮像装置２ｂが生成した動画像データである。
【００７３】
動画像データＰのそれぞれは、イベント情報画像データと、イベントの内容を含むイベント画像データとを含む。例えば、動画像データＰ１は、イベント情報画像データとイベント画像データＡ１１からＡ１４とを含む。イベント画像データＡ１１からＡ１４のそれぞれは、例えば、動画像データを構成する画像フレームである。動画像データのフレームレートが６０ｆｐｓである場合、１つのイベント画像データの長さは約０．１７秒である。図８においては、１つのイベント画像データの長さが０．１７秒である場合を例示している。
【００７４】
画像データ取得部３３２が取得した動画像データＰは、一例として、イベント情報画像データに含まれる時刻画像データが示す時刻の最小単位よりもフレームが更新される時間間隔が大きい動画像である。具体的には、１秒間に６０枚のイベント画像データを有する動画像データの場合、時刻画像データが示す時刻の最小単位は、６０分の１秒未満であり、例えば０．０１秒である。このように、フレームが更新される時間間隔よりも小さい単位で変化する時刻を取得することで、同期処理部３３６は、イベント画像データの時刻を特定する精度を高くすることができる。
【００７５】
イベント情報画像においては、実線矢印の位置で時刻が切り替わる。同期処理部３３６は、動画像データＰのそれぞれの実線矢印が示す時刻を、時刻特定部３３４が特定した時刻として時刻特定部３３４から取得する。同期処理部３３６は、実線矢印が示す時刻を基準として、内部のタイマーにより時間をカウントすることにより、破線矢印で示すように、イベント画像データそれぞれに対応する撮像時刻を特定する。同期処理部３３６は、例えば、動画像データＰ１のイベント画像データＡ１１の開始時刻が「１０時３０分４９秒１７」であると特定する。
【００７６】
同期処理部３３６は、イベント画像データごとに撮像時刻を特定してもよく、複数のイベント画像データごとに撮像時刻を特定してもよい。また、同期処理部３３６は、時刻画像データにおいて時刻が０．０１秒ごとに変化する場合、各フレームの撮像時刻を０．０１秒単位で特定してもよく、変化する時刻の時間間隔の整数倍ごとに各フレームの撮像時刻を特定してもよい。
【００７７】
同期処理部３３６は、同期処理部３３６が特定したイベント画像データのそれぞれの撮像時刻に基づいて、動画像データＰのそれぞれに含まれるイベント画像データの時刻の位置を揃える。
【００７８】
図８（ｂ）は、同期処理部３３６が、動画像データＰのそれぞれに含まれるイベント画像データの時刻の位置を揃えた状態を示している。提示対象画像データＰ１は、動画像データＰ１に対応し、提示対象画像データＰ２は、動画像データＰ２に対応する。
【００７９】
同期処理部３３６は、例えば、イベント画像データＡ１２とイベント画像データＢ１１との撮像時刻が「１０時３０分４９秒３４」と特定する。そして、イベント画像データＡ１２とイベント画像データＢ１１とが同じ時刻に画像管理装置３から出力されるように時刻の位置を揃える。このようにして、同期処理部３３６は、複数の動画像データを同期させる。
【００８０】
例えば「Ａ小学校運動会の第１競技」を複数の撮像装置が撮像して動画像データを生成する場合、複数の動画像データのそれぞれは、異なる時刻から生成が開始されている可能性が高い。このように、開始時刻が異なる動画像データがユーザ端末４で同時に再生されると、動画像データごとに異なるシーンが表示されてしまう。
【００８１】
そこで、同期処理部３３６は、時刻特定部３３４が特定した時刻に対応する動画像データと他データとを同期させることで、同一のシーンに対応する複数の異なる動画像データがユーザ端末４に表示されるようになる。また、同期処理部３３６は、複数の動画像データのそれぞれに含まれる提示イベントＩＤが一致することを条件として同期させることで、同じイベントの動画像データがユーザ端末４に表示されるようになる。
【００８２】
ところで、画像管理装置３は、複数の異なるイベント会場で撮影された動画像データを管理する。画像管理装置３は、例えば「Ａ小学校の第２競技」の動画像データ、及び「Ｂ小学校の第１競技」の動画像データを管理する。異なるイベント会場で撮影された動画像データが同時にユーザ端末４に表示されることがない場合、同期処理部３３６は異なるイベント会場で撮影された動画像データを同期させる必要がない。そこで、同期処理部３３６は、画像管理装置３が複数のイベントの動画像データを管理する場合に同一の競技を撮像して生成した複数の動画像データを同期させるために、動画像データに関連付けられた提示イベントＩＤを用いて、同期させる複数の動画像データを特定する。
【００８３】
また、同期処理部３３６は、音データ取得部３３５が取得した動画像データに関連付けられた音データに基づいて複数の動画像データを同期させてもよい。例えば、音データ取得部３３５は、動画像データに関連付けられた第１音データと、当該動画像データとは異なる他データに関連付けられた第２音データとを取得する。同期処理部３３６は、第１音データ及び第２音データの両方に含まれている特徴的な音（例えばピストル音）に対応する画像フレームが一致するように複数の動画像データを同期させてもよい。
【００８４】
また、同期処理部３３６は、複数の動画像データを同期させるか否かの判定に、第１音データ及び第２音データを用いてもよい。音データ取得部３３５は、第１音データに含まれる音声に基づいて、動画像データが撮像された場所において行われたイベントを識別するための第１提示イベント識別情報である第１提示イベントＩＤを特定する。続いて、音データ取得部３３５は、他データが撮像された場所において行われたイベントを識別するための第２提示イベント識別情報である第２イベントＩＤを特定する。音データ取得部３３５は、特定した第１イベントＩＤと第２イベントＩＤとを同期処理部３３６に通知する。同期処理部３３６は、音データ取得部３３５から取得した第１イベントＩＤと第２イベントＩＤとが一致していることを条件として、動画像データと他データとを同期させる。
【００８５】
さらに、同期処理部３３６は、画像データ取得部３３２が時刻に関連付けられた表示データをさらに取得した場合、動画像データと、時刻特定部３３４が特定した時刻に関連付けられた表示データとを同期させた状態で合成した合成動画像データを生成してもよい。表示データは、例えば時刻に関連付けられたテキストデータやＣＧ画像データ等であり、一例としてイベントのタイトルを示すテキストデータである。
【００８６】
図７に戻って、画像管理部３３７は、撮像装置２が送信する動画像データを管理する。画像管理部３３７は、識別情報取得部３３１部から通知された提示イベントＩＤが、記憶部３２に記憶された登録イベントＩＤと一致していることを条件として、提示イベントＩＤに関連付けて画像データ取得部３３２が取得した動画像データをユーザ端末４に提示する対象である提示対象画像データとして記憶部３２に記憶させる。
【００８７】
すなわち、画像管理部３３７は、登録イベントＩＤと同一の提示イベントＩＤを含む第２のＱＲコードの画像データが含まれている動画像データを提示対象画像データとして記憶部３２に記憶させる。画像管理部３３７は、登録イベントＩＤと同一の提示イベントＩＤを含む第２のＱＲコードの画像データが含まれていない撮像画像データを提示対象画像データとして記憶部３２に記憶させない。画像管理部３３７は、動画像データを提示対象画像データとして記憶部３２に記憶させる場合、許諾情報取得部３３３から取得した利用許諾情報を動画像データに関連付けて記憶部３２に記憶させる。
【００８８】
画像管理部３３７がこのように動作することで、画像管理装置３は、利用許諾情報と閲覧要求情報とに基づいて撮像画像データを送信するかの判定を行うことにより、閲覧可能なユーザを制限することができる。
【００８９】
画像管理部３３７は、提示イベントＩＤにイベントの位置を示す第２位置情報であるイベント位置情報が含まれている場合、イベント位置情報と動画像データに対応する撮像位置情報との差を算出してもよい。その場合、画像管理部３３７は、算出したイベント位置情報と撮像位置情報との差が所定の範囲内である場合に、動画像データを記憶部３２に記憶する。所定の範囲は、例えばイベントが「Ａ小学校の運動会」の場合、Ａ小学校の敷地が含まれる最小の円の直径以下の範囲である。
【００９０】
画像管理部３３７がこのように動作することで、画像管理装置３は、イベントが開催されている場所で撮像された動画像データを関連付けて記憶することができる。また、画像管理装置３は、提示イベントＩＤが示すイベントとは異なるイベントを撮像した撮像画像データが関連付けられていたとしても、当該撮像画像データをユーザ端末４に提供することを抑制できる。
【００９１】
また、画像管理部３３７は、イベントが行われた時間帯から所定の範囲内の時刻に送信された動画像データであることを条件として動画像データを記憶部３２に記憶させてもよい。このようにするために、画像管理部３３７は、例えば、提示イベントＩＤに対応するイベントが行われた時間帯を示すイベント時間帯情報を情報端末１から取得し、動画像データを受信した時刻を示す受信時刻を画像データ取得部３３２から取得する。画像管理部３３７は、取得した受信時刻が、取得したイベント時間帯情報が示す時間帯に基づく所定の範囲内である場合に、動画像データを記憶部３２に記憶させる。
【００９２】
イベント時間帯情報が示す時間帯に基づく所定の範囲は、例えば「Ａ小学校の運動会」が開始された時刻から、「Ａ小学校の運動会」が終了してから１時間が経過した時刻までの時間帯である。画像管理部３３７がこのように動作することで、イベントに関係ない動画像データが誤って記憶部３２に記憶されることが抑制される。
【００９３】
画像提供部３３８は、ネットワークＮを介してユーザ端末４に提示対象画像を送信する。画像提供部３３８は、例えば、提示対象画像データの閲覧要求を示す閲覧要求情報をユーザ端末４から受信した場合に、閲覧要求情報が登録イベントＩＤに対応する情報を含むことを条件として提示対象画像データをユーザ端末４に送信する。
【００９４】
具体的には、例えば登録イベントＩＤが「Ａ小学校運動会」であり、閲覧要求情報が「Ａ小学校運動会６年１組」である場合、閲覧要求情報は登録イベントＩＤに対応する情報を含む。この場合、画像提供部３３８は、ユーザ端末４から受信した閲覧要求情報である「Ａ小学校運動会６年１組」に基づいて、ユーザ端末４に提示対象画像データを送信する。
【００９５】
画像提供部３３８は、閲覧要求情報を情報端末から受信した場合に、利用許諾情報が示す利用可能範囲であることを閲覧要求情報が示していることを条件として、提示対象画像データを情報端末に送信してもよい。具体的には、例えば利用許諾情報が「Ａ小学校６年１組」であり、閲覧要求情報が「Ａ小学校運動会６年１組」である場合、画像提供部３３８は、利用許諾情報が示す利用可能範囲を閲覧要求情報が示していると判定する。その結果、情報端末から受信した閲覧要求情報である「Ａ小学校運動会６年１組」に基づいて、情報端末に提示対象画像データを送信する。
【００９６】
画像提供部３３８は、複数の提示対象画像データをユーザ端末４に送信する場合、同期処理部３３６が同期させた複数の動画像データと他データとをユーザ端末４に提供する。画像提供部３３８は、同期処理部３３６が動画像データと音データとを同期させた場合、複数の動画像データと音データとを同期させた状態でユーザ端末４に提供する。
【００９７】
画像提供部３３８は、複数の動画像データと音データとを同期させた状態でユーザ端末４に提供する場合、例えば、複数の音データから１つを選択し、選択した音データと複数の動画像データとを関連付けて提供する。音は伝搬速度が光よりも遅いため、動画像データに対する音データの遅延時間は撮影場所によって異なる。画像提供部３３８が１つの音データをユーザ端末４に提供することで、少しだけずれた複数の音が再生されて聞きづらくなってしまうことを防止できる。画像提供部３３８は、例えば、複数の音データのうち最も早いタイミングの音データを選択する。このように動作することで、画像提供部３３８は、動画像データに対する音の遅延の少ない音をユーザ端末４に提供できる。
【００９８】
また、画像提供部３３８は、例えば、画像データ取得部３３２が取得した動画像データが変化するタイミングに最も近いタイミングで変化する音データを選択してもよい。例えば、動画像データに「リレー開始」の合図を示す画像が含まれているとする。その場合、「リレー開始」の声音が含まれている音データのうち、「リレー開始」の合図を示す画像の時刻に最も近いタイミングで「リレー開始」の声音が含まれている音データ（すなわち、「リレー開始」という声を出している人に最も近い位置の撮像装置２で取得された音データ）を選択する。このように動作することで、画像管理装置３は、ユーザに、動画像データと音データとの時刻の差による違和感を与えづらくすることができる。
【００９９】
さらに、画像提供部３３８は、取得した複数の集音位置情報が示す複数の位置のうち、取得した被写体位置情報が示す位置に最も近い位置に対応する集音位置情報に関連付けられた音データを選択してもよい。このようにするために、画像提供部３３８は、音データ取得部３３５が取得した複数の音データそれぞれが集音された位置を示す複数の集音位置情報を取得する。画像提供部３３８は、画像データ取得部３３２が取得した動画像データに含まれる被写体の位置を示す被写体位置情報を取得する。このように動作することで、動画像データに対する音の遅延の少ない音を提供できる。この構成は、例えばコンサート会場のステージで歌手の歌声を集音する場合に好適である。
【０１００】
画像提供部３３８は、記憶部３２に記憶された動画像データである提示対象画像データが時刻画像データを含む場合、動画像データのうち時刻画像データを除く部分動画像データをユーザ端末４に提供してもよい。例えば動画像データの冒頭部分に時刻画像データが含まれている場合、画像提供部３３８は、時刻画像データが終了した後にイベントが撮影された部分の動画像データをユーザ端末４に提供する。また、画像提供部３３８は、同期処理部３３６が、動画像データにテキストデータ又はＣＧ画像データが合成された合成動画像データを生成した場合、生成された合成動画像データをユーザ端末４に送信する。
【０１０１】
操作受付部３３９は、ユーザ端末４から閲覧の要求と提示対象画像を取得するために行う操作とを受け付ける。操作受付部３３９は、受け付けた要求及び操作を画像提供部３３８に通知する。
【０１０２】
操作受付部３３９は、提示対象画像データに音データが関連付けられている場合、提示対象画像データである動画像データに関連付けられた音データを取得するか、動画像データに関連付けられていない音データを取得するかを受け付ける。操作受付部３３９は、受け付けた操作を音データ取得部３３５に通知する。
【０１０３】
［画像管理部３３７の動作］
図９は、画像管理装置３が動画像データを記憶部３２に記憶させる動作のフローチャートである。画像管理部３３７は、例えばイベントの主催者から登録イベントＩＤを取得して、記憶部３２に記憶させる（Ｓ３１）。画像管理部３３７は、登録イベントＩＤに関連付けて、イベントの開催時間帯及びイベントの開催場所等の情報を記憶部３２に記憶させてもよい。その後、イベントが始まると、画像データ取得部３３２は動画像データの取得を開始する。画像データ取得部３３２は、撮像装置２から動画像データを受信した場合（Ｓ３２のＹＥＳ）、当該動画像データに含まれている提示イベントＩＤを抽出する（Ｓ３３）。
【０１０４】
続いて、許諾情報取得部３３３は、提示対象画像の利用可能範囲を示す利用許諾情報を取得する（Ｓ３４）。許諾情報取得部３３３は、画像データ取得部３３２が取得した動画像データに含まれている情報格納画像を解析することにより利用許諾情報を取得する。動画像データに含まれている情報格納画像に電子透かしデータが含まれている場合、許諾情報取得部３３３は、当該電子透かしデータを解析することにより利用許諾情報を取得する。
【０１０５】
続いて、画像管理部３３７は、記憶部３２に記憶された登録イベントＩＤと動画像データから抽出された提示イベントＩＤとが一致するか否かを判定する（Ｓ３５）。登録イベントＩＤと提示イベントＩＤとが一致する場合（Ｓ３５のＹＥＳ）、画像管理部３３７は、取得した動画像データが撮像された位置を特定する処理に進む。登録イベントＩＤと提示イベントＩＤとが一致しない場合（Ｓ３５のＮＯ）、画像管理部３３７は、当該提示イベントＩＤに対応する動画像データを記憶部３２に記憶させずに処理を終了する。
【０１０６】
続いて、許諾情報取得部３３３は、動画像データに対応する撮像画像に対応する位置を示す第１位置情報である撮像位置情報を撮像装置２から取得する。画像管理部３３７は、当該撮像位置情報が示す位置と、提示イベントＩＤに含まれるイベントの位置を示す第２位置情報であるイベント位置情報が示す位置との差を算出する。
【０１０７】
撮像位置情報が示す位置とイベント位置情報が示す位置との差が閾値以下であり、撮影した位置が所定の範囲内である場合（Ｓ３６のＹＥＳ）、画像管理部３３７は、取得した動画像データを撮像した時間を特定する処理に進む。撮像位置情報が示す位置とイベント位置情報が示す位置との差が閾値以下ではない場合（Ｓ３６のＮＯ）、画像管理部３３７は、撮像位置情報を含む提示イベントＩＤに対応する動画像データを記憶部３２に記憶させずに処理を終了する。
【０１０８】
続いて、画像管理部３３７は、動画像データを受信した時刻を示す受信時刻を取得する。そして、画像管理部３３７は、取得した受信時刻が、予め記憶部３２に記憶されたイベント時間帯情報が示す時間帯に基づいて定められた所定の範囲内である場合（Ｓ３７のＹＥＳ）、受信時刻に対応する提示イベントＩＤに関連付けられた動画像データを記憶部３２に記憶させる（Ｓ３８）。
【０１０９】
なお、図９に示すフローチャートにおいては、Ｓ３６及びＳ３７において、撮影位置及び撮影時間帯が所定の範囲内であることを条件として画像管理部３３７が動画像データを記憶部３２に記憶させたが、画像管理部３３７はＳ３６及びＳ３７を実行しなくてもよい。すなわち、画像管理部３３７は、登録イベントＩＤと提示イベントＩＤとが一致すると判定したことに応じて、動画像データを記憶部３２に記憶させてもよい。
【０１１０】
［同期処理部３３６の動作］
上述したように、複数のイベント参加者が撮像した画像のそれぞれは、撮像を開始した時刻が異なる。そのため、閲覧要求を送信したユーザは、イベントに関連付けられた動画像データだけを閲覧できたとしても、動画像データのそれぞれの開始時刻の差により音や動画像がずれてしまうので、複数の動画像を同時に閲覧しづらい。複数の動画像を同時に閲覧しやすくするために、同期処理部３３６が複数の動画像データを同期させる処理について、次に説明する。
【０１１１】
図１０は、画像管理装置３が複数の動画像データを同期させてユーザ端末４に送信する動作のフローチャートである。画像データ取得部３３２は、複数の撮像装置２から複数の動画像データを取得する（Ｓ４１）。画像データ取得部３３２は、取得した複数の動画像データのそれぞれに含まれるイベント情報画像データを取得する（Ｓ４２）。画像データ取得部３３２は、取得した複数のイベント情報画像データのそれぞれを解析することにより、複数のイベント情報画像データのそれぞれに含まれている複数の提示イベントＩＤを特定する（Ｓ４３）。
【０１１２】
画像データ取得部３３２は、取得した複数のイベント情報画像データを時刻特定部３３４に出力する。時刻特定部３３４は、取得した複数のイベント情報画像データのそれぞれが示す時刻を特定する。
【０１１３】
同期処理部３３６は、画像データ取得部３３２が特定した複数の提示イベントＩＤが一致していると判定した場合（Ｓ４４のＹＥＳ）、時刻特定部３３４が特定した複数の動画像データのそれぞれが撮像された時刻を取得する（Ｓ４５）。
【０１１４】
同期処理部３３６は、画像データ取得部３３２が取得した複数の動画像データのそれぞれに含まれるイベント画像データに対応する撮像時刻を、時刻特定部３３４が特定した時刻に基づいて特定する（Ｓ４６）。同期処理部３３６は、特定した撮像時刻に基づいて、複数の動画像データのそれぞれに含まれる複数の画像フレームにおける、時刻が一致する画像フレームを特定する（Ｓ４７）。
【０１１５】
同期処理部３３６は、時刻が一致する画像フレームが同じタイミングで再生されるように、複数の動画像データの位置を揃える（Ｓ４８）。画像管理部３３７は、位置が揃えられた複数の動画像データを記憶部３２に記憶させる（Ｓ４９）。
【０１１６】
［音データの選択］
図１１は、画像提供部３３８が複数の動画像データと音データとを同期させた状態でユーザ端末４に送信する動作について説明するための図である。図１１（ａ）は、画像データ取得部３３２が取得した複数の動画像データＰ（Ｐ１，Ｐ２）と、音データ取得部３３５が取得した複数の音データＭ（Ｍ１，Ｍ２）を示している。複数の動画像データＰについては、図８（ａ）と同じである。
【０１１７】
音データＭ１は、動画像データＰ１に関連付けられた音データである。音データ取得部３３５は、例えば、画像データ取得部３３２が動画像データＰ１に含まれるイベント画像データＡ１１を取得した時刻と同じ時刻にイベント音データＥ１１を取得する。
【０１１８】
音データＭ２は、動画像データＰ２に関連付けられた音データである。音データ取得部３３５は、例えば、画像データ取得部３３２が動画像データＰ２に含まれるイベント画像データＢ１１を取得した時刻より遅れてイベント音データＦ１１を取得する。
【０１１９】
図１１（ｂ）は、画像提供部３３８がユーザ端末４に送信する複数の動画像データと音データとを示している。提示対象画像データＰ１は、動画像データＰ１に対応し、提示対象画像データＰ２は、動画像データＰ２に対応し、提示対象音データＭ１は、音データＭ１に対応する。
【０１２０】
画像提供部３３８は、例えば、同期処理部３３６から取得した複数の動画像データＰに同期した複数の音データＭのうち、動画像データに対して遅延が少ない音データを選択する。図１１（ｂ）においては、音データＭ１と動画像データＰ１との遅延よりも音データＭ２と動画像データＰ２との遅延が大きい。したがって、画像提供部３３８は、音データＭ１を選択して複数の提示対象画像データに関連付けてユーザ端末４に出力する。
【０１２１】
ところで、画像提供部３３８は、音データに関連付けられる動画像データの時刻に基づいて音データを選択してもよい。具体的には、複数の動画像データのうち、特定した時刻が早い動画像データに関連付けられた音データを選択してユーザ端末４に出力してもよい。
【０１２２】
画像提供部３３８は、例えば、コンサートのように演奏曲の開始タイミングで複数の動画像データが同時に撮像される場合、画像提供部３３８は、動画像データと音データとの遅延が少ない音データを選択する。一方、運動会のように、撮影者によって撮像を開始するタイミングが異なる場合は、開始時刻が早い動画像データに関連付けられた音データを選択する。画像提供部３３８は、例えば操作受付部３３９が受け付けた操作内容に基づいて、どのような音データを選択するかを決定してもよい。画像提供部３３８がこのように動作することで、動画像データが撮像されるイベントの内容に適した音データを選択することができる。
【０１２３】
［変形例１］
以上の説明においては、画像管理装置３が、運動会等のイベント会場で撮影された動画像データと当該動画像データに関連付けられた音データとをユーザ端末４に提供する用途で用いられる場合を例示したが、画像管理装置３の用途はこれに限らない。イベントが、一人又は複数のユーザが自宅や店舗等で歌や踊りを撮影するものであり、自宅や店舗等がイベント会場であってもよい。この場合、画像管理装置３は、音楽に合わせて人が歌う動く場面が撮影された動画像データと音楽データとをユーザ端末４に提供する用途で用いられている。音楽データは、例えば、ユーザが単独で開催するイベントを識別するためのイベント識別情報や動画像データに関連付けられた音データに含まれる音楽と同じであり、撮影場所とは異なる場所で録音または集音されたデータである。音楽データは、画像管理装置３が予め記憶部３２に記憶させていてもよい。
【０１２４】
図１２は、動画像データに含まれる時刻情報に関連付けられた音楽データを提供する場合の画像管理装置３の構成を示す図である。図１２の画像管理装置３は、音楽データ取得部３４０を有する点で図７に示す画像管理装置３と異なり、他の点において同じである。
【０１２５】
音楽データ取得部３４０は、時刻に関連付けられた第１音楽データを取得する。同期処理部３３６は、取得した第１音楽データと動画像データとを同期させる。同期処理部３３６は、動画像データと、時刻特定部３３４が特定した時刻に関連付けられた第１音楽データとを同期させた状態で、第１音楽データと動画像データとを合成させた合成動画コンテンツを生成する。画像提供部３３８は、同期処理部３３６が生成した合成動画コンテンツをユーザ端末４に出力する。
【０１２６】
以下、画像管理装置３が、例えば、音楽、伴奏、又は器楽曲に合わせて歌っているシーンが撮像されて生成された動画像データに音楽データが合成された合成動画コンテンツをユーザ端末４に提供する場合の処理を説明する。
【０１２７】
動画像データの撮影者であるユーザは、撮像装置２において、ユーザ自身もしくは第三者が設定した基準時刻に対する所定の相対時刻が到来した場合に自身の情報端末１にて第１音楽データと同じ時刻情報に関連付けられた第２音楽データが再生されるように設定しておく。基準時刻は、例えばユーザが情報端末１において所定のアプリケーションソフトウェアの音楽再生機能を起動した時刻であり、音楽再生機能が起動すると、情報端末１は、−１０秒、−９秒、・・・のように変化する相対時刻を表示する。情報端末１は、相対時刻の表示を開始してから所定の時間が経過した後に音楽の再生を開始する。例えば、相対時刻の表示を開始してから１０秒が経過して相対時刻が０秒になった時点で第２音楽データの再生を開始する。
【０１２８】
ユーザは、音楽作成機能を起動させた後に、自身の情報端末１に表示された時刻画像データを撮像装置２で撮影してから、ユーザ自身が写るように撮像装置２をセットする。ユーザは、情報端末１が第２音楽データの再生を開始すると、ユーザ自身が撮影されている状態で、第２音楽データに基づく音楽に合わせて自身が歌い始める。撮像装置２は、このようにして作成した動画像データを画像管理装置３に送信する。
【０１２９】
このような動画像データには、第２音楽データに基づく音楽以外の環境音も含まれているので、このままでは動画コンテンツとしての質が低い。そこで、画像管理装置３は、動画像データに関連付けられている音データを、第２音楽データに対応する第１音楽データに置換することで、質の高い合成動画コンテンツを生成する。
【０１３０】
撮像装置２から画像管理装置３に動画像データが送信されると、画像データ取得部３３２は、第１音楽データに対応する第２音楽データに基づく音楽を情報端末１で再生する前に情報端末１に表示された時刻画像データを含む動画像データを取得する。ここで用いられる時刻画像データは、第１音楽データ及び第２音楽データの開始タイミングに同期している。第２音楽データは、情報端末１が有しており、情報端末１において再生する音楽データである。同期処理部３３６は、動画像データと、時刻特定部３３４が特定した第２音楽データに同期した時刻に関連付けられた第１音楽データとを同期させた状態で合成画像コンテンツを作成する。
【０１３１】
具体的には、同期処理部３３６は、時刻画像データに基づいて、動画像データに含まれる時刻画像データ以外の画像データ（すなわち画像フレーム）の撮像開始時刻を特定し、特定した動画フレームの撮像開始時刻に第１音楽データが開始するように、動画像データと第１音楽データとを同期させることにより、合成画像コンテンツを作成する。画像提供部３３８は、このようにして作成された合成画像コンテンツをユーザ端末４に提供する。
【０１３２】
［変形例２］
上記の説明においては、情報端末１がＧＰＳ衛星から受信した電波に基づく絶対時刻又は端末アプリケーションが生成する相対時刻を表示する場合を例示したが、情報端末１が表示する時刻は、イベントにおいて定められた基準時刻に対する相対時刻であってもよい。例えば、複数の情報端末１のそれぞれは、複数のグループのいずれかに属し、時刻表示部として機能する表示部１２は、同一のグループに属する情報端末１が取得する時刻画像データが示す時刻に関連付けられた時刻を表示する。
【０１３３】
例えば、同一のグループに属する複数の情報端末１のうち１台の情報端末１が同一のグループに属する他の情報端末１に、内部時計が発生する時刻を示す時刻情報を定期的に送信する。他の情報端末１は、受信した時刻情報に基づく時刻画像データを表示する。
【０１３４】
［変形例３］
上記の説明においては、撮像装置２が提示イベントＩＤを含む第２のＱＲコードの画像データ及び時刻画像データが含まれている動画像データを画像管理装置３に送信する場合を例示したが、情報端末１が撮像装置２の機能を有しており、情報端末１が第１ＱＲコードを撮影し、当該第１ＱＲコードの画像データ及び時刻画像データが含まれている動画像データを画像管理装置３に送信してもよい。
【０１３５】
図１３は、変形例３に係る画像管理システムＳ２の構成を示す図である。図１３に示すように、情報端末１ａ〜１ｃのそれぞれは、提示イベントＩＤを含む第１ＱＲコードを撮影して作成した動画像データを画像管理装置３に送信する。さらに、情報端末１ａ〜１ｃは、図１に示したユーザ端末４として機能することも可能であり、情報端末１ａ〜１ｃは、画像管理装置３が管理する動画像データを表示することもできる。このように、画像管理システムＳ２においては、情報端末１と画像管理装置３を用いて、図１に示した構成と同等の処理を実現することができる。
【０１３６】
画像管理システムＳ２においては、撮像装置２が実行可能な各種の処理を情報端末１が実行してもよい。例えば、画像管理装置３の許諾情報取得部３３３は、動画像データに対応する撮像画像を情報端末１が撮像した位置を示す撮像位置情報を、動画像データを送信した情報端末１から取得してもよい。
【０１３７】
なお、情報端末１が第１ＱＲコード及び時刻画像データを生成するとともに、動画像データを生成し、生成した第１ＱＲコードの画像データ及び時刻画像データが含まれている動画像データを画像管理装置３に送信してもよい。
【０１３８】
［変形例４］
情報端末１は、提示イベントＩＤが含まれておらず、利用許諾情報が含まれるＱＲコードを生成してもよい。情報端末１は、例えば情報端末１のユーザが属するグループに対応する利用許諾情報を示すＱＲコードを生成する。この場合、画像管理部３３７は、予め登録された利用許諾情報が動画像データに含まれていることを条件として、画像データ取得部３３２が取得した動画像データをユーザ端末４に提示する対象である提示対象画像データとして記憶部３２に記憶させてもよい。そして、画像提供部３３８は、閲覧要求情報をユーザ端末４から受信した場合に、利用許諾情報が示す利用可能範囲であることを閲覧要求情報が示していることを条件として、提示対象画像データをユーザ端末４に送信する。情報端末１及び画像管理装置３がこのように動作することで、登録イベントＩＤを用いることなく、同じグループのメンバー内で動画像データを共有することが可能になる。
【０１３９】
［変形例５］
上記の説明においては、同期処理部３３６が、時刻画像データを含む複数の動画像データに関連付けられた複数の音データに共通して含まれている特徴的な音のタイミングに基づいて複数の動画像データを同期させる場合を例示したが、同期処理部３３６が複数の動画像データと、動画像データに関連付けられていない音データとを同期させてもよい。
【０１４０】
音データに、時刻を示す音時刻データが含まれており、同期処理部３３６は、時刻画像データが示す時刻と音時刻データが示す時刻とに基づいて、時刻画像データを含む複数の動画像データと音時刻データを含む音データとを同期させてもよい。音時刻データは、例えばイベント会場で集音した時報音又はＧＰＳ衛星等から取得した電波に基づいて特定した時刻を示すデータである。音時刻データは可聴音でもよく、可聴帯域以外の帯域の音を表すデータであってもよい。また、音時刻データは、音をデジタル値に変換したデータであってもよく、時刻を表すテキストデータであってもよい。
【０１４１】
音データ取得部３３５又は同期処理部３３６は、音時刻データを含む音データを取得して、取得した音データに含まれる音時刻データが示す時刻を特定する。同期処理部３３６は、音時刻データが示す時刻と時刻特定部３３４が特定した時刻画像データが示す時刻とに基づいて、音時刻データを含む音データと時刻特定部３３４が特定した時刻に対応する複数の動画像データとを同期させる。
【０１４２】
具体的には、同期処理部３３６は、時刻画像データが示す時刻を基準にして、動画像データ内の各フレームの時刻を特定し、音時刻データが示す時刻を基準にして、音データのそれぞれの部分の時刻を特定する。同期処理部３３６は、同じ時刻に対応する動画像データ内のフレームと音データとを関連付ける。
【０１４３】
このように動作することで、画像管理装置３は、時刻画像データとは異なる時刻情報が示す時刻に同期した音データであっても、当該音データと時刻画像データを含む複数の動画像データとを同期させることができる。なお、画像管理装置３は、時刻画像データを表示する情報端末１が生成した、時刻画像データが示す時刻に同期した音時刻データを含む音データを、情報端末１から取得することもできる。このような構成は、例えば音データだけを音源の近くで収集することができる環境において好適である。
【０１４４】
［本実施形態の画像管理装置３による効果］
以上説明したように、画像管理装置３は、時刻を示す時刻画像データを含む動画像データを取得する画像データ取得部３３２と、時刻画像データが示す時刻を特定する時刻特定部３３４と、時刻特定部３３４が特定した時刻に基づいて複数の動画像データを同期させる同期処理部３３６とを有する。そして、音データ取得部３３５が、時刻画像データが示す時刻に同期した音データを取得し、画像提供部３３８が、音データと複数の動画像データとを同期させた状態でユーザ端末４に提供する。
【０１４５】
その結果、ユーザ端末４のユーザは、音データに同期した複数の動画像を閲覧することができるので、複数の動画像を閲覧しやすくなる。
【０１４６】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【０１４７】
１  情報端末
２  撮像装置
３  画像管理装置
４  ユーザ端末
１０  撮像部
１１  記憶部
１２  表示部
１３  通信部
１４  制御部
２１  撮像部
２２  通信部
２３  記憶部
２４  制御部
３１  通信部
３２  記憶部
３３  制御部
１４１  許諾情報生成部
１４２  コード生成部
２４１  画像生成部
２４２  画像送信部
３３１  識別情報取得部
３３２  画像データ取得部
３３３  許諾情報取得部
３３４  時刻特定部
３３５  音データ取得部
３３６  同期処理部
３３７  画像管理部
３３８  画像提供部
３３９  操作受付部
３４０  音楽データ取得部
【要約】
【課題】動画像と音とを同期させることができる。
【解決手段】画像管理装置３は、それぞれが時刻を示す時刻画像データを含む複数の動画像データを取得する画像データ取得部３３２と、時刻画像データが示す時刻を特定する時刻特定部３３４と、時刻特定部３３４が特定した時刻に基づいて、複数の動画像データを同期させる同期処理部３３６と、時刻画像データが示す時刻に同期した音データを取得する音データ取得部３３５と、同期処理部３３６が同期させた複数の動画像データと音データとを情報端末に提供する画像提供部３３８と、を有する。
【選択図】図７【図１】
0006909904.tif 000002
【図２】
0006909904.tif 000003
【図３】
0006909904.tif 000004
【図４】
0006909904.tif 000005
【図５】
0006909904.tif 000006
【図６】
0006909904.tif 000007
【図７】
0006909904.tif 000008
【図８】
0006909904.tif 000009
【図９】
0006909904.tif 000010
【図１０】
0006909904.tif 000011
【図１１】
0006909904.tif 000012
【図１２】
0006909904.tif 000013
【図１３】
0006909904.tif 000014